(57)【要約】【課題】テレビ放送を短時間に視聴できるとともに、ユーザのＴＶ／ＰＣ機能の選択に応じた起動をおこなうことができるテレビ機能付きパーソナルコンピュータを提供することにある。【解決手段】ＯＳ上のプログラムによりテレビ機能を制御するＣＰＵと、ＰＣ本体の電源制御をおこなうシステム制御部と、テレビ映像とＣＰＵの実行結果を表示する表示部と、プログラムＲＯＭを有し、ＣＰＵのテレビ機能制御とは独立にプログラムＲＯＭにしたがいテレビ映像を生成するＴＶ表示制御部と、リモコンの操作信号を受信して前記ＴＶ表示制御部と前記システム制御部に操作に対応するコードを通知するリモコン制御部とを備えるようにし、リモコンのＴＶ表示ボタンの押下によりＰＣへの給電を開始しＯＳ上のプログラムによるテレビ機能の立ち上げ以前にテレビ表示を可能にした。【選択図】図１
2007282068.tif 000002
【特許請求の範囲】
【請求項１】
リモコンによりテレビ機能を操作するパーソナルコンピュータにおいて、
オペレーティングシステム上のプログラムにより前記テレビ機能を制御するＣＰＵと、
当該パーソナルコンピュータ本体の電源制御をおこなうシステム制御部と、
テレビ映像と前記ＣＰＵの実行結果を表示する表示部と、
プログラムＲＯＭを有し、前記ＣＰＵのテレビ機能制御とは独立に前記プログラムＲＯＭにしたがいテレビ映像を生成するＴＶ表示制御部と、
前記リモコンの操作信号を受信して前記ＴＶ表示制御部と前記システム制御部に操作に対応するコードを通知するリモコン制御部とを備え、
前記リモコンのＴＶ表示ボタンの押下により当該パーソナルコンピュータへの給電を開始し前記オペレーティングシステム上のプログラムによるテレビ機能の立ち上げ以前に、前記ＴＶ表示制御部によるテレビ表示を可能にしたことを特徴とするテレビ機能付きパーソナルコンピュータ。
【請求項２】
前記表示部は、前記ＴＶ表示制御部で生成するテレビ映像と前記ＣＰＵの実行結果であるＰＣ映像の選択信号入力を有し、
さらに、ブートブロックとメインブロックを有するＢＩＯＳ−ＲＯＭを備え、
前記メインブロックの処理を開始する以前に前記選択信号入力をテレビ映像の選択状態に設定することを特徴とする請求項１記載のテレビ機能付きパーソナルコンピュータ。
【請求項３】
さらに、パーソナルコンピュータの起動を指示する電源ボタンを備え、
前記システム制御部は、前記電源ボタンの押下により当該パーソナルコンピュータ本体の電源制御をおこない、前記メインブロックの処理を開始する以前に前記選択信号入力を前記ＣＰＵの実行結果であるＰＣ映像の選択状態に設定することを特徴とする請求項２記載のテレビ機能付きパーソナルコンピュータ。
【請求項４】
さらに、当該パーソナルコンピュータに電源を供給する電源ユニットは、前記システム制御部と前記リモコン制御部に常時電源を供給する補助電源部を有することを特徴とする請求項１あるいは請求項２あるいは請求項３記載のテレビ機能付きパーソナルコンピュータ。
【発明の詳細な説明】
【技術分野】
【０００１】
本発明は、テレビ視聴機能付きパーソナルコンピュータ（以下、ＰＣと略す）のテレビ視聴機能を高速に起動するのに好適な技術に関する。
【背景技術】
【０００２】
近年、テレビチューナを搭載したテレビ機能付きＰＣが広く普及している。テレビ機能付きＰＣに搭載されているプロセッサ（ＣＰＵ）は、テレビ受像機やＨＤＤレコーダが備えるプロセッサよりも高性能である。このため、映像の特徴抽出を実施して特長あるシーンを再生するダイジェスト再生といった、テレビ受像機やＨＤＤレコーダには搭載されていない機能を搭載し、より便利に利用できるようになっている。
【０００３】
その反面、このような機能を実現するためにはより複雑で高機能なソフトウェアが必要であり、テレビ機能付きＰＣの起動時間は、テレビ受像機やＨＤＤレコーダに比べて格段に長い。より快適にテレビ機能付きＰＣを使いたいというニーズが高まっており、ユーザによる電源オンの操作後、数秒でテレビが見られるＰＣに注目が集まっている。
【０００４】
テレビ機能付きＰＣの構成は、例えば、特許文献１に開示されている。この特許文献１に示される技術は、ＢＩＯＳと呼ばれる機器固有のソフトウェアプログラムに、ＴＶやＤＶＤプレーヤといったアプリケーション機能を搭載することで、これらの機能の高速起動を実現している。ＢＩＯＳにアプリケーション機能を搭載して、オペレーティングシステムの起動を不要とすることで、所望のアプリケーション機能とは関係がない機能も起動してしまうオペレーティングシステム（ＯＳ）の待ち時間を短縮できる。
【０００５】
また別の解決方法として特許文献２の場合には、独立してリモコン受信・制御機能を含めテレビ視聴機能が動作するブロックをＰＣ内に持ち、独自に電源を供給・制御することによりテレビ視聴機能を高速に起動させ、且つそのブロックとは無関係に起動するＰＣブロックが起動した後には前述のＰＣの高性能・多機能を使用することが可能となる。
【０００６】
ところで、ＴＶとＰＣでは、映像信号の仕様が異なり、ＰＣではＲＧＢの色信号により表示をおこなうことが多く、テレビではＹＵＶの色差信号により表示をおこなうことが多い。このため、ディスプレイで入力を切り替えて表示おこなっている。また、アナログＲＧＢ出力でデジタル放送の画面出力をおこなう場合には、フレーム当たり52万画素を上限とする解像度制限があり、デジタル放送のハイビジョン表示をＰＣでおこなうことができなかった。このため、テレビ機能付きＰＣでは、ハイビジョンＴＶ表示部をＰＣ表示部と別に設けている場合が多い。
【０００７】
【特許文献１】特開２００４−１６４５３７号公報
【特許文献２】特開２００５−３０３９３５号公報
【発明の開示】
【発明が解決しようとする課題】
【０００８】
上記特許文献１に開示されている技術によれば、ＯＳの起動を不要にすることができるので、テレビを視聴できるまでの待ち時間が短くなる。その反面、ユーザがＰＣ機能を使いたいと思った場合は、ＢＩＯＳによるアプリケーション機能実行状態を一度リセットし、オペレーティングシステムを再起動するという手間と、再起動完了までの待ち時間が必要になる。
【０００９】
他方、特に、近年のデジタルテレビ機能を考えると、データ放送や双方向サービスといったより高度な利用形態が提供されており、これらの機能を搭載する場合、アプリケーション機能を格納しているＢＩＯＳコードサイズが肥大化して経済的な容量のＲＯＭには格納しきれなくなる可能性が高い。
【００１０】
また、特許文献２に開示されている技術では、ＴＶ機能ブロックでは、一般的なＰＣが標準的に持っているインターフェースを使用せずに、独立して動作するリモコン受信・制御機能ブロックを持つと共に、情報処理システム全体の状態制御部が必要となる上、その機能を動作させるために専用の電源を必要とする構成となっている。
【００１１】
ところで、電源オン操作後、数秒でＴＶ視聴を可能にする場合、テレビ機能を起動するか、ＰＣ機能を起動するかをユーザ選択可能にするのが好ましい。これは、ユーザがテレビを見たいわけではないのにＰＣを起動する度にテレビを見させられることになるのを避けるためである。そして、ＰＣ機能を起動する場合、システムの映像や音声出力は通常のＰＣ起動時と同一となるような挙動とすることが望ましい。
【００１２】
本発明は上記課題を解決し、デジタル放送を高解像で短時間に視聴できるとともに、ユーザのＴＶ／ＰＣ機能の選択に応じた起動をおこなうことができるテレビ機能付きパーソナルコンピュータを提供することにある。
【課題を解決するための手段】
【００１３】
上記課題を解決するために、本発明のテレビ機能付きパーソナルコンピュータは、オペレーティングシステム上のプログラムにより前記テレビ機能を制御するＣＰＵと、当該パーソナルコンピュータ本体の電源制御をおこなうシステム制御部と、テレビ映像と前記ＣＰＵの実行結果を表示する表示部と、プログラムＲＯＭを有し、前記ＣＰＵのテレビ機能制御とは独立に前記プログラムＲＯＭにしたがいテレビ映像を生成するＴＶ表示制御部と、前記リモコンの操作信号を受信して前記ＴＶ表示制御部と前記システム制御部に操作に対応するコードを通知するリモコン制御部とを備えるようにし、前記リモコンのＴＶ表示ボタンの押下により当該パーソナルコンピュータへの給電を開始し前記オペレーティングシステム上のプログラムによるテレビ機能の立ち上げ以前に、前記ＴＶ表示制御部によるテレビ表示を可能にした。
【００１４】
また、本発明のテレビ機能付きパーソナルコンピュータは、前記表示部は、前記ＴＶ表示制御部で生成するテレビ映像と前記ＣＰＵの実行結果であるＰＣ映像の選択信号入力を有し、さらに、ブートブロックとメインブロックを有するＢＩＯＳ−ＲＯＭを備えるようにし、前記メインブロックの処理を開始する以前に前記選択信号入力をテレビ映像の選択状態に設定するようにした。
【００１５】
さらに、本発明のテレビ機能付きパーソナルコンピュータは、パーソナルコンピュータの起動を指示する電源ボタンを備えるようにし、前記システム制御部は前記電源ボタンの押下により当該パーソナルコンピュータ本体の電源制御をおこない、前記メインブロックの処理を開始する以前に前記選択信号入力を前記ＣＰＵの実行結果であるＰＣ映像の選択状態に設定するようにした。
【発明の効果】
【００１６】
本発明によれば、テレビ機能付き情報処理システムにおいて、単機能テレビと同様に高速な起動によりテレビ視聴が可能となり、またチャンネルの選択や音量調整などのテレビ視聴に必須である一部のリモコン操作もＰＣ動作時と共通化で使い勝手が向上する。
【００１７】
さらに、ＰＣ起動後は、ＯＳ上で動作するアプリケーションプログラムにより高機能なＴＶ機能を利用できる。
【００１８】
さらに、ユーザがＰＣ起動を選択した場合にはＴＶの映像と音声が出力されることなくＰＣが起動できるという使い勝手を向上することができる。
【発明を実施するための最良の形態】
【００１９】
以下、本発明の詳細について、図面を用いて説明する。
【実施例１】
【００２０】
図１は、本発明の実施例の構成図である。１０は本発明を実施したＰＣのシステム制御部であり、ＣＰＵ１００１、システムＬＳＩ１００２、主記憶１００３、リモコン受信部１００４、ＨＤＤ１００５、ＲＯＭ１００６で構成されている。システム制御部１０の構成は一般的なＰＣのそれと同一であり、詳述すればされに多くの構成要素が存在するが、本説明に不要な部分については割愛している。これらの構成により、システム制御部１０でＰＣのオペレーティングシステム、あるいは各種のアプリケーションプログラムが実行される。
【００２１】
１００４はＴＶチャネルの選択や音量設定をおこなうリモコンのリモコン信号受信部であり、リモコン装置から発せられるリモコン信号を受信し、リモコン信号に含まれるボタンコードをシステムＬＳＩ１００２に伝送する。ＴＶ表示を行うアプリケーションプログラムは、このボタンコードを参照して、ＴＶ表示や番組録画をおこなう。また、リモコン信号に含まれるボタンコードは、詳細は後述するＴＶ制御ＬＳＩ110にも伝送されてチャンネル選択や音量設定を直接おこなえるようにしている。
【００２２】
１００６はＲＯＭであり、ＢＩＯＳコードが格納されている。システムに電源が投入されると、ＣＰＵ１００１はシステムＬＳＩ１００２を介してＲＯＭ１００６にアクセスしてＢＩＯＳコードを読み込み、ＢＩＯＳコードに沿ってシステムの初期化処理とオペレーティングシステムへの制御移行処理を実行する（詳細後述）。
【００２３】
１０１１はＲＧＢの色信号形式のＰＣ映像信号である。システム制御部１０で実行されたオペレーティングシステムやアプリケーションプログラムの映像出力はシステムＬＳＩ１００２にて生成され、ＰＣ映像信号１０１１として出力される。１０１０はＰＣ音声信号である。映像信号と同様に、オペレーティングシステムやアプリケーションプログラムの音声出力はシステムＬＳＩ１００２にて生成され、ＰＣ音声信号１０１０として出力される。
【００２４】
本実施例では、ＰＣ映像信号1011をシステムＬＳＩ1002で生成するようにしているが、システムバスに接続された表示ＬＳＩによりＰＣ映像信号を生成する場合も同様に発明を実施することができる。
【００２５】
１１はＴＶチューナ部であり、システムバス1104を介してシステムＬＳＩ1002に接続され、ＣＰＵ1001からアクセスすることができる。ＴＶチューナ部１１は、ＴＶ制御ＬＳＩ１１０、ＲＯＭ１１１、ＴＶアンテナ１１４、ＴＶチューナ１１５によって構成されている。ＲＯＭ１１１には、ＴＶ制御ＬＳＩ１１０が実行するプログラムコードが格納されている。
【００２６】
ＴＶ制御ＬＳＩ１１０は、電源が投入されるとＲＯＭ１１１にアクセスし、ＲＯＭ１１１に格納されているプログラムコードの内容にしたがって処理を実行する。例えば、ＴＶ受信処理は以下のように実行される。ＴＶ制御ＬＳＩ１１０は、ＴＶチューナ１１５に対してチャンネル切替制御を実施する。そして、ＴＶチューナ１１５から受信した映像音声信号のデコード処理を実行し、ＴＶ映像信号１１２およびＴＶ音声信号１１３に出力する。受信する放送波がデジタルＴＶの場合、受信する映像音声信号には暗号が施されており、その複合化処理もまたＴＶ制御ＬＳＩ１１０にて実施される。
【００２７】
さらに、システム制御部１０のリモコン受信部１００４とはリモコン信号１００９を介して接続されており、伝送されるボタンコードに応じた処理を実行することができる。本実施例では、チャンネルアップ、チャンネルダウン、音量アップ、音量ダウン、音声ミュート、ワンタッチチャネルのボタンコードを受信し所定の処理を実行できる。例えば、チャンネルアップのボタンコードをＴＶ制御ＬＳＩ１１０が受信した場合、ＴＶ制御ＬＳＩ１１０はＴＶチューナ１１５の設定を変更し、現在のチャンネル番号より大きい数字のチャンネルを受信する。
【００２８】
上記の如く、ＴＶチューナ部11はプログラムコードを記憶するＲＯＭ111備えているので、電源が投入されるとＲＯＭ１１１にアクセスして所定のＴＶ受信処理をＣＰＵ１００１の介在なしに実行できる。さらにＴＶ制御ＬＳＩ１１０は、システムバス１０１４を介してシステム制御部１０に接続されているので、タイムシフト視聴や録画といったより複雑な機能は、オペレーティングシステム上で実行されているＴＶ視聴アプリケーションがシステムバス１０１４を介してＴＶ制御ＬＳＩ１１０を制御することによって実現される。
【００２９】
図1の１２は電源ユニットである。ＡＣコード１２１を介してＡＣ電力が供給されると、補助電力線１２２に給電を開始する。この補助電力線122は、システム制御部10のシステムＬＳＩ1002やリモコン制御部1004に接続され、スタンバイ電力が供給されている。ＰＣの電源ボタン1012が押下されると押下信号がシステムＬＳＩ1002に通知される。システムＬＳＩ1002はスタンバイ電力が供給されており、前記電源ボタン1012の押下信号の入力により電源オン信号1013を電源12に通知する。電源12はシステムＬＳＩ１００２から電源オン信号１０１３を受信すると、主電力線１２０に給電を開始する。主電力線１２０は、システム制御部10とＴＶチューナ部11と表示制御部13と音声制御部14に供給されており、ＴＶ表示動作が開始される。
【００３０】
また、リモコン制御部1004にもスタンバイ電力が供給されており、リモコンからの操作信号を受けてリモコン信号を出力する。リモコンのＴＶボタンが押下される対応するボタンコードがシステムＬＳＩ1002に通知され、電源ボタン1012の押下と同様に、主電力線１２０に給電を開始する。
【００３１】
このように、補助電力はシステムＬＳＩ１００２が電源オン信号１０１３の処理、あるいは、主記憶１００３にデータを保存するために使用されるといった用途限定の電力であり、通常動作時の電力は主電力によって賄われる。
【００３２】
上記のとおり本実施例によれば、システムＬＳＩ１００２は２つの電源オン要因によって電源オン信号１０１３を制御できる。詳しくは、一つめは電源ボタン１０１２であり、もう一つはリモコン受信部１００４である。電源ボタン１０１２については、当該ボタンが押されたか否かを検出する手段をシステムＬＳＩ１００２が備えており、ボタン押下が検出された場合に電源オン信号１０１３により主電源の給電開始を電源１２に指示する。一方、システムＬＳＩ１００２はボタンコード判別手段を備えており、所定のボタンコードを検出すると電源オン信号１０１３を介して主電源の給電開始を電源１２に指示することができる。本実施例では、リモコンに搭載されている電源ボタンのボタンコードをボタンコード判別手段に設定してある。
【００３３】
図1の１３は表示制御部である。表示制御部１３は、映像信号切替器１３０、表示回路１３１、ＬＣＤ１３２によって構成されている。映像信号切替器１３０は、ＰＣ映像信号１０１１とＴＶ映像信号１１２とを、映像経路選択信号１００７にしたがって切り替える、いわゆるセレクタ回路である。
【００３４】
表示回路１３１は、映像信号切替器１３０を介して入力される映像信号をＬＣＤ１３２に出力するための処理をおこなう。具体的には、入力される映像信号の解像度と表示タイミング信号をＬＣＤ１３２の解像度と表示タイミングにマッチングさせる処理、色空間をマッチングさせる処理、デインターレース処理、画素補正処理などを実行する。
【００３５】
映像経路選択信号１００７は、後述するＣＰＵ１００１で実行されるＢＩＯＳによってシステムＬＳＩ１００２を介して制御される。本実施例では、映像経路選択信号１００７はシステムＬＳＩ１００２が有する汎用出力信号で接続されている。汎用出力信号は、システムＬＳＩ１００２の特定のレジスタ設定値と連動しているため、ＢＩＯＳが映像経路選択信号１００７を制御するための処理ステップ数が少なく済むという利点がある。代わりに例えば、ＵＳＢバスインターフェースを介して映像経路選択信号１００７を制御しようとすると、ＵＳＢバスの初期化やアクセスプロトコルに沿った制御が必要になるなど、処理ステップ数が格段に多くなってしまう。
【００３６】
図１の１４は音声制御部である。音声制御部１４は、音声信号切替器１４０、増幅回路１４１、スピーカ１４２によって構成されている。音声信号切替器１４０は、ＰＣ音声信号１０１０とＴＶ音声信号１１３とを、音声経路選択信号１００８にしたがって切り替える、いわゆるセレクタ回路である。増幅回路１４１は、音声信号切替器１４０を介して入力される音声信号を増幅してスピーカ１４２に出力するための回路である。音声経路選択信号１００８は、映像経路選択信号１００７と同様、ＣＰＵ１００１で実行されるＢＩＯＳによってシステムＬＳＩ１００２を介して制御される。さらに音声経路選択信号１００８は、先に説明したのと同様にシステムＬＳＩ１００２が有する汎用出力信号で接続されている。
【００３７】
つぎに、図１のＲＯＭ１００６に格納されているＢＩＯＳコードによってＣＰＵ１００１が実施する処理の流れについて、図２を用いて説明する。システムの主電源がオンされると２０１、ＣＰＵ１００１はＲＯＭ１００６に格納されているＢＩＯＳコードの実行を開始する。ＢＩＯＳコードは通常、ブートブロックと呼ばれるコードブロックを備えており（本説明では、ブートブロック以外のＢＩＯＳコードはメインブロックと称する）、電源オン直後はブートブロックに格納されているＢＩＯＳコードが実行される。
【００３８】
ブートブロックでは、ＣＰＵ１００１の初期化処理２０２、主記憶１００３の初期化処理２０３、システムＬＳＩ１００２に対するベースアドレスの設定処理２０４、などが実行される。これらの処理は、システム制御部１０が備える機能のうち、ＢＩＯＳコードがシステム制御部１０で実行されるに足る最低限の機能を初期化して動作可能とするための処理である。
【００３９】
ブートブロックの処理が終了すると、ＣＰＵ１００１は引き続きメインブロックの処理を実施する。メインブロックを実施する場合、以後のアクセスの高速化のために、ＢＩＯＳコードは主記憶１００３に展開され２０７、以後ＣＰＵ１００１はＲＯＭ１００６ではなく主記憶１００３にアクセスしてＢＩＯＳコードを実行する。メインブロックの処理では、システムＬＳＩ１００２に搭載されているグラフィックコントローラやＨＤＤコントローラといった各種のコンポーネントの初期化が開始され２０８、全てのコンポーネントの初期化が終了するとオペレーティングシステムを起動する２０９。以上がＲＯＭ１００６に格納されているＢＩＯＳコードによってＣＰＵ１００１が実施する処理の流れである。
【００４０】
次に、本実施例において特徴となるＴＶ表示機能の処理の流れについて図２を用いて説明する。既に述べたように、主電源オン２０１の後、ＢＩＯＳコードが主記憶に展開される２０７前までは、ＢＩＯＳのブートブロックの処理が実行される。
【００４１】
本実施例では、ブートブロックの処理中に、主電源オンとなった要因が、電源ボタン１０１２によるものなのか、あるいはリモコン受信部１００４によるものなのかを判別する処理２０５と、判別結果をもとに、映像経路選択信号１００７と音声経路選択信号１００８をシステムＬＳＩ１００２を介して制御する処理２０６がブートブロックに追加されている。ブートブロックにこれらの処理を追加しているので、主電源オン２０１後、経路選択信号出力処理２０６が実行されるまでに要する処理時間は、ＴＶ制御ＬＳＩ１１０が電源オンしてからＴＶ映像音声信号の出力を開始するまでの所要時間よりも短くなっている。
【００４２】
以下では、上述の実施例の構成に基づいてＴＶ機能の高速起動がどのように実現されるかを詳細に説明する。
【００４３】
本実施例では、リモコンの電源ボタンでシステムを起動した場合はＴＶ視聴の高速起動を、システムの電源ボタン１０１２でシステムを起動した場合は通常のＰＣ起動をする。ユーザは所望の起動モードに応じて、リモコンの電源ボタンとシステムの電源ボタンとを使い分けることができる。
【００４４】
ユーザがリモコンの電源ボタンでシステムを起動した場合、ＣＰＵ１００１は図２に示した処理を順次実行し、処理２０５においてシステム起動要因がリモコン受信部１００４であると判別する。リモコンの電源ボタンで起動した場合はＴＶ視聴モードであるため、処理２０６において経路選択がＴＶ映像信号およびＴＶ音声信号となるように経路選択信号が出力される。その後、ＴＶ制御ＬＳＩ１１０からの映像音声信号の出力準備が整い、出力が開始され、ユーザはＴＶ視聴機能を利用できるようになる。ＣＰＵ１００１は処理２０６の後、引き続き主記憶展開２０７を実行しＯＳ起動する。この間、ＰＣ映像信号とＰＣ音声信号がシステムＬＳＩ１００２から出力されることがあるが、ＴＶ映像信号とＴＶ音声信号に経路選択されているため、ユーザがこれら信号による映像や音声を見たり聞いたりすることはない。
【００４５】
ユーザがシステムの電源ボタンでシステムを起動した場合、処理２０５においてシステム起動要因が電源ボタン１０１２であると判別する。この場合はＰＣ起動モードであるため、処理２０６において経路選択がＰＣ映像信号およびＰＣ音声信号となるように経路選択信号が出力される。その後、ＴＶ制御ＬＳＩ１１０からの映像音声信号の出力準備が整い、出力が開始されるが、ＰＣ映像信号とＰＣ音声信号に経路選択されているため、ユーザがこれらの信号による映像や音声を見たり聞いたりすることはない。ＣＰＵ１００１は処理２０６の後、引き続き主記憶展開２０７を実行しＯＳ起動する。ユーザはこの間に出力されるＰＣ映像とＰＣ音声を見たり聞いたりし、ＰＣが普通に起動しているように見える。
【００４６】
本実施例によれば、同じボタンコードを２つの制御部、システムＬＳＩ１００２とＴＶ制御ＬＳＩ１１０で制御することが可能で、通常システムＬＳＩ１００２は電源オン以外のボタンコードはシステム制御部１０でＰＣのオペレーティングシステムやアプリケーションプログラムが実行されるまでボタンコードに伴う制御を行えないが、ＴＶ制御ＬＳＩ１１０は、ＲＯＭ１１１に格納されているプログラムコードで動作することが出来るため、ＣＰＵ１００１の介在なしに高速にボタンコードに伴う制御を実施可能である。
【００４７】
また、システムＬＳＩ１００２はリモコンからの電源オンの指示を受け取り主電力線１２０に給電を開始する事が出来ることから、ＴＶチューナ部１１に対し常時通電のための専用電源を用意する必要がない。
【００４８】
更に高性能・多機能なシステム制御部１０で処理を実施する機能、HDDやＤＶＤ等への録画やタイムシフト視聴等に関するボタンコードについては、ＴＶ制御ＬＳＩ１１０では無視する事により余分な処理を実施しないようにすると共に、システム制御部１０でＰＣのオペレーティングシステムやアプリケーションプログラムが実行され、システムＬＳＩ１００２でボタンコードを受け付けることが出来るようになった後は、システムバス１０１４を介してＴＶ制御ＬＳＩ１１０にその旨を伝えることにより、その後はＴＶ制御ＬＳＩ１１０ではボタンコードを一切受け取らず、全ての制御をシステムＬＳＩ１００２で実施することにより、ＴＶ制御ＬＳＩ１１０はＴＶ関連処理に専念させることが可能となる。
【００４９】
上記テレビ視聴機能を高速に起動するための処理の流れについて、図３を用いて説明する。リモコン装置の電源オンボタンを押下すると２０１、リモコン受信部１００４はシステムＬＳＩ１００２に対して主電源オンの指示を送り、その指示を受け取ったシステムＬＳＩ１００２は主電源制御信号１０１３により主電力線１２０に給電開始を指示する２０２。システム制御部１０でＰＣのオペレーティングシステムやアプリケーションプログラムが起動してリモコンコードが受け取れるようになるまでの間に２０３、先にＲＯＭ１１１に格納されているプログラムコードで動作を始めたＴＶ制御ＬＳＩ１１０はボタンコード受け取りおよびそのコードに沿った制御が可能となる２１１。
【００５０】
当然この時点でＴＶ制御ＬＳＩ１１０はＲＦ受信アンテナ１１４で受信したＴＶコンテンツをＴＶ映像信号１１２、ＴＶ音声信号１１３で出力する。システム制御部１０でＰＣのオペレーティングシステムやアプリケーションプログラム起動が終了しリモコンコードが受け取れるようになると、システムＬＳＩ１００２は準備完了した旨をシステムバス１０１４を介してＴＶ制御ＬＳＩ１１０に連絡し２０４、その連絡を受け取ったＴＶ制御ＬＳＩ１１０はその後リモコンコードを受け取る処理を停止する２１２。それと同時にシステムＬＳＩ１００２は、全てのボタンコードを制御可能となる２０５。
【００５１】
この間ボタンコード制御部の切り替えが発生するが、ユーザはテレビ視聴することが可能で、かつシステムＬＳＩ１００２がボタンコード受信準備完了までは、システム制御部１０で処理を実施しない機能、完了後は全ての機能をリモコン操作で使用可能となる。
【００５２】
尚、本実施例では、前回の電源オフ処理時にオペレーティングシステムをサスペンド状態あるいは休止状態にしておき、処理２０９において、オペレーティングシステムをレジュームさせることもできる。オペレーティングシステムのレジュームは、通常動作時の各コンポーネントのレジスタ設定値や主記憶１００３の内容を主記憶１００３やＨＤＤ1005に格納しておくことで、次回の起動時により高速に通常状態に復帰させるメカニズムのことである。
【００５３】
本実施例によるテレビ機能の高速起動処理は、オペレーティングシステムのレジューム機能と組み合わせて実施できるため、データ放送といったデジタルテレビ特有の機能、さらには録画機能など、アプリケーションで動作させる一通りの機能をより早く利用可能にすることができる。
【図面の簡単な説明】
【００５４】
【図１】本発明の実施例の構成図である。
【図２】本発明の実施例のＢＩＯＳ処理流れ図である。
【図３】本発明の実施例のボタンコード制御の流れ図である。
【符号の説明】
【００５５】
１０…システム制御部、１００１…ＣＰＵ、１００２…システムＬＳＩ、
１００３…主記憶、１００４…リモコン受信部、１００５…ＨＤＤ、
１００６…ＲＯＭ、１００７…映像信号経路選択信号、
１００８…音声信号経路選択信号、１００９…リモコン信号、１０１０…ＰＣ音声信号、
１０１１…ＰＣ映像信号、１０１２…電源ボタン、１０１３…主電源制御信号、
１１…ＴＶチューナ部、１１０…ＴＶ制御ＬＳＩ、１１１…ＲＯＭ、
１１２…ＴＶ映像信号、１１３…ＴＶ音声信号、１１４…ＲＦ受信アンテナ、
１１５…ＴＶチューナ、１２…電源ユニット、１２０…主電源給電ライン、
１２１…ＡＣコード、１２２…補助電源給電ライン、１３…表示制御部、
１３０…映像信号選択器、１３１…表示回路、１３２…ＬＣＤ、１４…音声制御部、
１４０…音声信号選択器、１４１…音声信号増幅回路、１４２…スピーカ
【図１】
2007282068.tif 000003
【図２】
2007282068.tif 000004
【図３】
2007282068.tif 000005